(57)【特許請求の範囲】
【請求項１】
容器本体とポンプ部材を備えた蓋体とがヒンジにより開閉可能とされており、前記ヒンジの内側に設けられた支持腕固定部に一方の端部に嵌合凹部と突刺し筒を備えた支持腕の他方の端部が固定され、前記嵌合凹部に前記ポンプ部材の筒体先端が嵌合され、前記突刺し筒が前記ヒンジの中心と前記容器本体の開口部の中心間の距離を半径として前記蓋体の開閉方向に円弧状に湾曲した構成からなることを特徴とする詰め替え用ポンプ付き容器。
【請求項２】
前記ヒンジと対向する前記蓋体の周縁部に係合部が形成され、前記係合部を前記容器本体のフランジに係合することにより、前記容器本体のフランジと蓋体の周縁下端の間で内容器フランジを挟持した状態で、前記蓋体を前記容器本体に固定するように構成されたことを特徴とする請求項１記載の詰め替え用ポンプ付き容器。
【発明の詳細な説明】
【０００１】
【発明の属する技術分野】
本発明は、突刺し筒を内容器に突き刺して内容物を小出しするための詰め替え用ポンプ付き容器に関する。
【０００２】
【従来の技術】
従来、各家庭等で使用されている液体洗剤等の詰め替え用の包装袋としては自立性袋の形状が一般的であり、小出し容器に洗剤を詰め替えるには、通常の自立性袋の場合は上端角部をカットして開口を形成してその開口から小出し容器に詰め替える方法により、また、上端部に注出口が形成された自立性袋の場合は注出口から小出し容器に詰め替える方法により行われている。しかしながら、上記のようにして詰め替える場合には、小出し容器の口部が狭いこともあって、詰め替えに手間がかかる上に詰め替えの際に内容物を零してしまうおそれがあった。また、詰め替え時に内容物に外気が混入するので内容物の変質や微生物の繁殖等の４題があり、液体歯磨き等のように口に入れて使用する内容物の包装用としては好ましくないという欠点があった。
【０００３】
それらの欠点を改良した、小出し容器に内容物を詰め替える必要のない詰め替え用ポンプ付き容器としては、特開平７−１７２４６６号に記載されているような、合成樹脂からなる筒状で自立型の袋の上端を、未延伸ナイロンとポリオレフィン系樹脂フィルムからなるラミネートフィルムをヒートシールして閉じた液体収納袋を、小出し用の容器本体の内部に収納し、ポンプ部材を備えた蓋体を容器本体の上端に取り付け、ポンプ部材のチューブを液体収納袋に突き刺して内容物を取り出す構成のもの、特願平９−２５７６９０号に記載されているような、可撓性のカップ状容器に内容物を充填し突刺し密封性フィルムにて口部を密封した内容器を小出し用の容器本体の内部に収納し、ポンプ部材を備えた蓋体を小出し容器本体の上端に取り付けてポンプ部材の突刺し筒を内容器の突刺し密封性フィルムに突き刺して内容物を取り出す構成のもの等が知られている。
上記の小出し容器においては、ポンプ部材のチューブを自立型の液体収納袋に突き刺す際に、ないしはポンプ部材の突刺し筒を内容器の突刺し密封性フィルムに突き刺す際に、突き刺しが完了するまで、突き刺し位置をずらさないように且つ突き刺す角度が変わらないようにするのが困難であり、突き刺し部における密封性を確保して気密性を保持するのが難しいという欠点があった。
【０００４】
【発明が解決しようとする課題】
本発明の目的は、突刺し筒を突刺密封性フィルムに突き刺してポンプ部材を備えた蓋体を取り付ける際に、突刺密封性フィルムへの突刺し筒の位置がずれたり、斜めに突き刺されることにより突き刺し部における密封性が悪くなるのを防止できるようにした詰め替え用ポンプ付き容器を提供することである。
【０００５】
【課題を解決するための手段】
容器本体とポンプ部材を備えた蓋体とがヒンジにより開閉可能とされており、ヒンジの内側に設けられた支持腕固定部に一方の端部に嵌合凹部と突刺し筒を備えた支持腕の他方の端部が固定され、嵌合凹部にポンプ部材の筒体先端が嵌合され、突刺し筒がヒンジの中心と容器本体の開口部の中心間の距離を半径として蓋体の開閉方向に円弧状に湾曲させた構成からなる詰め替え用ポンプ付き容器である。この場合、突刺し筒を突き刺す位置は内容器の開口部の中心であり、突き刺しが完了するまでその位置が変化しない。また、突き刺しの角度に関しては内容器の開口部を密封している突刺し密封性フィルムに対して垂直方向であり、突き刺しが完了するまでその角度は変化しない。したがって、突刺し筒を突き刺した部分における突刺し筒と突刺し密封性フィルム間の密封性が確保されるので気密性を保持することができ、内容物を取り出していった際に、内容器内に空気が進入することがなく、取り出された容積だけ内容器の容積が減少して内容器が圧潰されてゆくので、内容物を最後まで残さず取り出すことができる。
【０００６】
上記の詰め替え用ポンプ付き容器において、ヒンジと対向する蓋体の周縁部に係合部が形成され、係合部を容器本体のフランジに係合することにより、容器本体のフランジと蓋体の周縁下端の間で内容器フランジを挟持した状態で、蓋体を容器本体に固定するように構成することにより、蓋体の係合部を容器本体のフランジに係合することにより、容器本体に蓋体を容易に固定することができるとともに、容器本体のフランジと蓋体の周縁下端間で内容器のフランジを挟持した状態で取り付けることができる。
【０００７】
【発明の実施の形態】
以下、図面を引用して本発明の実施の形態を説明する。
図１は本発明の実施形態を示す蓋体を閉じた状態の縦断面図、図２は実施形態の嵌合凹部と突刺し筒を備えた支持腕を示す（イ）は側面図で（ロ）は平面図、図３は実施形態の蓋体を示す（イ）は側面図で（ロ）は底面図、図４は実施形態の容器本体を示す（イ）は側面図で（ロ）は平面図、図５は実施形態の蓋体を開いた状態を示す縦断面図であって、１は容器本体、２は蓋体、３はヒンジ、４はポンプ部材、５は筒体先端、６は支持腕、７は嵌合凹部、８は突刺し筒、９は支持腕固定部、10は係合部、11は容器本体フランジ、12は内容器、13は内容器フランジ、14は突刺し密封性フィルム、15は内容物、16は周縁下端を表す。
【０００８】
本発明の詰め替え用ポンプ付き容器の実施形態は、図１に示すとおり、フランジ11を有する容器本体１とポンプ部材４を備えた蓋体２とからなり、容器本体１のフランジ11と蓋体２の周縁下端を連結するヒンジ３により開閉可能とされており、ヒンジ３の内側に支持腕固定部９が設けられ、一方の端部に嵌合凹部７と突刺し筒８を備えた支持腕６の他方の端部が支持腕固定部９に固定され、嵌合凹部７にポンプ部材４の筒体先端５が気密状態で嵌合され、突刺し筒８がヒンジ３の中心と容器本体１の開口部の中心間の距離Ｄを半径として蓋体２の開閉方向に円弧状に湾曲している構成となっている。
【０００９】
端部に嵌合凹部７と突刺し筒８を備えた支持腕６は、図２（イ）、（ロ）に示すとおり、支持腕６の一方の端部に、ポンプ部材４の筒体先端５が気密状態で嵌合できる嵌合凹部７を備え、嵌合凹部７の下部にヒンジ３の中心と容器本体１の開口部の中心間の距離Ｄを半径として蓋体２の開閉方向に円弧状に湾曲している突刺し筒８が形成されている構成である。
【００１０】
蓋体２の構成は図３（イ）、（ロ）に示すとおりであり、蓋体２の周縁下端16の外方にヒンジ片3aが設けられ、ヒンジ片3aが形成された箇所の蓋体２の内側に蓋体２の中心方向に延びる平行な２枚の突出板からなる支持腕固定部９が設けられ、ヒンジ片3aと対向する蓋体２の周縁下端16に係合部10が形成されている。支持腕固定部９の平行な２枚の突出板間に支持腕６の他方の端部が挿入されて固定されるようになっている。容器本体１の構成は図４（イ）、（ロ）に示すとおりであり、容器本体１はフランジ11を有するカップ状であって、容器本体１のフランジ11の外方にヒンジ片3bが形成されている。蓋体２にポンプ部材４を取り付けて蓋体２のヒンジ片3aを容器本体１のヒンジ片3bに嵌合させることにより、蓋体２と容器本体１が開閉可能に連結される。この状態で、ポンプ部材４の筒体先端５を気密状態で嵌合凹部７に嵌合して支持腕６の他方の端部を支持腕固定部９にて固定することにより、突刺し筒８の湾曲方向が蓋体２の開閉方向と一致した状態で取り付けられる。
【００１１】
実施形態の詰め替え用ポンプ付き容器の容器本体１内に内容器12を装填して蓋体２を閉じる前の状態は、図５に示すとおりである。内容器12はフランジ13を備えた容器本体１とほぼ同形状のカップ状の圧潰可能な容器であり、内容器12のフランジ13を容器本体１のフランジ11に重ねた状態で装填される。図５に示す状態から、蓋体２を閉じて係合部10を容器本体１のフランジ11に係合させて固定することにより内容器12の内容物15を取り出すことができる状態となる。蓋体２を閉じる際に、ポンプ部材４の筒体先端５に嵌合凹部７を介して取り付けられた突刺し筒８が、内容器12の突刺し密封性フィルム14を突き刺して内容器12の内部に挿入されて図１に示す状態となる。内容器12はフランジ13が容器本体１のフランジ11と蓋体２の周縁下端16との間で挟持された状態で装填される。蓋体２を閉じる際に、突刺し筒８はヒンジ３の中心と容器本体１の開口部の中心間の距離Ｄを半径として蓋体２の開閉方向に円弧状に湾曲しているので、突刺し筒８の先端が突刺し密封性フィルム14に接触した状態から突き刺しが完了するまで、容器本体１の開口部の中心位置にて密封性フィルム14の面に垂直に突き刺すことになり、突き刺す位置および角度がずれることがなく突き刺し部における突刺し筒８と突刺し密封性フィルム14間の密封性が確保され気密性が保持される。
【００１２】
図１に示す状態にて、ポンプ部材４を操作することにより、突刺し筒８をとおして内容物15を取り出すことができる。内容物15が取り出されて内容器12内の内容物15が減少してゆくと、突刺し筒８と突き刺された突刺密封性フィルム14の突き刺し部の気密性が保持されているので、外部の空気が内容器12内に進入することがない。また内容器12のフランジ13が容器本体１のフランジ11と蓋体２の周縁下端16との間で挟持された状態であるが、内容器12のフランジ13と容器本体１のフランジ11間にはわずかな隙間があり、この隙間を通して容器本体１と内容器12の間に外気が進入してくる。したがって、内容物15の減少した容積分だけ内容器12の容積が減少して圧潰され、ポンプ部材４を操作して内容物15を取り出し続けると、内容物15の取り出された容積だけ内容器12の容積が減少して圧潰されてゆき、内容器12に収納された内容物を残らず取り出された状態では、内容器12が完全に圧潰されて突刺し筒８の周辺および突刺密封性フィルム14の内面に密着した状態となる。この詰め替え用ポンプ付き容器を家庭に備えておくことにより、使い終わった際に新しい内容器を新しいものと取り替えるだけで繰り返し使用できる。
【００１３】
本発明の詰め替え用ポンプ付き容器にて使用する内容器12は圧潰可能な容器である。内容器の構成は、ポリオレフィン系樹脂層とエチレン−ビニルアルコール共重合体（ＥＶＯＨ）ないしはポリ塩化ビニリデン（ＰＶＤＣ）からなるガスバリアー性樹脂層とポリオレフィン系樹脂層との積層体にて構成される。ポリオレフィン系樹脂層としては、低密度ポリエチレン（ＬＤＰＥ）、線状低密度ポリエチレン（ＬＬＤＰＥ）、ポリプロピレン（ＰＰ）、エチレン−プロピレン共重合体（ＥＰ）等が使用できる。圧潰可能容器２の積層構成の具体例としては、ＬＤＰＥ／ＥＶＯＨ／ＬＤＰＥ、ＬＬＤＰＥ／ＥＶＯＨ／ＬＬＤＰＥ、ＬＤＰＥ／ＥＶＯＨ／ＥＰ、ＬＬＤＰＥ／ＥＶＯＨ／ＥＰ、ＬＤＰＥ／ＥＶＯＨ／ＰＰ、ＬＬＤＰＥ／ＥＶＯＨ／ＰＰ、ＥＰ／ＥＶＯＨ／ＥＰ等である。上記積層フイルムは多層押出により製造されるものであり、各層間の接着強度を強くするために各層間に接着樹脂層を入れた多層押出フイルムとしてもよい。厚さが０．５〜１．０ｍｍの多層シートを使用して真空成形ないしは圧空成形することにより製造されるが、多層のブロー成形により製造することもできる。また、ガスバリヤー性を必要としない内容物を包装する用途の場合には、低密度ポリエチレン（ＬＤＰＥ）、線状低密度ポリエチレン（ＬＬＤＰＥ）、ポリプロピレン（ＰＰ）、エチレン−プロピレン共重合体（ＥＰ）等からなる成形容器が使用できる。
【００１４】
突刺密封性フィルム14としては、低密度ポリエチレン（ＬＤＰＥ）、線状低密度ポリエチレン（ＬＬＤＰＥ）、中密度ポリエチレン（ＭＤＰＥ）、エチレン−酢酸ビニル共重合体（ＥＶＡ）、アイオノマー（ＩＯ）およびエチレン−アクリル酸共重合体（ＥＡＡ）、エチレン−エチルアクリレート共重合体（ＥＥＡ）、エチレン−メタクリル酸共重合体（ＥＭＡ）、エチレン−メチルメタクリレート共重合体（ＥＭＭＡ）等のエチレン−アクリル酸系モノマー共重合体からなるポリオレフィン系フィルム、ないしは上記の２種類以上の樹脂からなる多層フィルムが使用される。多層構成のフィルムとすることにより突き刺し性、突き刺し密封性の優れたものとすることができる。突刺密封性フィルムの積層構成は、例えば、ＬＬＤＰＥ／ＭＤＰＥ／ＬＬＤＰＥ、ＬＬＤＰＥ／ＥＶＡ／ＬＬＤＰＥ、ＬＬＤＰＥ／ＩＯ／ＬＬＤＰＥ、ＬＬＤＰＥ／ＥＡＡ／ＬＬＤＰＥ、ＬＬＤＰＥ／ＥＥＡ／ＬＬＤＰＥ、ＬＬＤＰＥ／ＥＭＡ／ＬＬＤＰＥ、ＬＬＤＰＥ／ＥＭＭＡ／ＬＬＤＰＥ等である。多層の突刺密封性フィルムを製造するには共押出しが適しており、必要により層間に接着樹脂層を入れてもよい。突刺密封性フィルムの厚さとしては、0.１０〜0.２０ｍｍが好ましく、３層構成とする場合の厚さの比率は、１．０：０．２〜０．８：１．０が好ましい。
【００１５】
ガスバリヤー性の優れた突刺密封性フィルムとしては、上記のポリオレフィン系フィルムの外側に、ガスバリヤー性の優れたプラスチック層を積層した構成のものが使用できる。ガスバリヤー性の優れたプラスチック層としては、未延伸ナイロン（ＣＮ）、ポリ塩化ビニリデン（ＰＶＤＣ）コート未延伸ナイロン、エチレン−ビニルアルコール共重合体（ＥＶＯＨ）等が使用できる。ガスバリヤー性の優れた突刺密封性フィルムの構成としては、ＣＮ／接着層／ＬＬＤＰＥ、ＣＮ／接着層／ＬＬＤＰＥ／ＭＤＰＥ／ＬＬＤＰＥ、ＰＶＤＣコートＣＮ／接着層／ＬＬＤＰＥ、ＰＶＤＣコートＣＮ／接着層／ＬＬＤＰＥ／ＭＤＰＥ／ＬＬＤＰＥ、ＥＶＯＨ／接着層／ＬＬＤＰＥ／ＭＤＰＥ／ＬＬＤＰＥ等である。
【００１６】
【発明の効果】
容器本体とポンプ部材を備えた蓋体とがヒンジにより開閉可能とされており、ヒンジの内側に設けられた支持腕固定部に一方の端部に嵌合凹部と突刺し筒を備えた支持腕の他方の端部が固定され、嵌合凹部にポンプ部材の筒体先端が嵌合され、突刺し筒がヒンジの中心と容器本体の開口部の中心間の距離を半径として蓋体の開閉方向に円弧状に湾曲させた構成の詰め替え用ポンプ付き容器であるので、突刺し筒を突き刺す位置は内容器の開口部の中心であり、突き刺しが完了するまでその位置が変化しない。また、突き刺しの角度に関しては内容器の開口部を密封している突刺し密封性フィルムに対して垂直方向であり、突き刺しが完了するまでその角度は変化しない。したがって、突刺し筒を突き刺した部分における突刺し筒と突刺し密封性フィルム間の密封性が確保されるので気密性を維持することができ、内容物を取り出していった際に、内容器内に空気が進入することがなく、取り出された容積だけ内容器の容積が減少して圧潰され、内容物を最後まで残さずに取り出すことができるものである。
上記の詰め替え用ポンプ付き容器において、ヒンジと対向する蓋体の周縁部に係合部が形成され、係合部を容器本体のフランジに係合することにより、容器本体のフランジと蓋体の周縁下端の間で内容器フランジを挟持した状態で、蓋体を容器本体に固定するように構成することにより、容器本体に蓋体を容易に固定することができる。
【図面の簡単な説明】
【図１】本発明の実施形態を示す蓋体を閉じた状態の縦断面図。
【図２】実施形態の嵌合凹部と突刺し筒を備えた支持腕を示す（イ）は側面図で（ロ）は平面図。
【図３】実施形態の蓋体を示す（イ）は側面図で（ロ）は底面図。
【図４】実施形態の容器本体を示す（イ）は側面図で（ロ）は平面図。
【図５】実施形態の蓋体を開いた状態を示す縦断面図。
【符号の説明】
１  容器本体
２  蓋体
３  ヒンジ
3a, 3b  ヒンジ片
４  ポンプ部材
５  筒体先端部
６  支持腕
７  嵌合凹部
８  突刺し筒
９  支持腕固定部
10  係合部
11  容器本体フランジ
12  内容器
13  内容器フランジ
14  突刺し密封性フィルム
15  内容物
16  周縁下端
【図１】
0004108831.tif 000002
【図２】
0004108831.tif 000003
【図３】
0004108831.tif 000004
【図４】
0004108831.tif 000005
【図５】
0004108831.tif 000006